(57)【要約】  ソフトパイロットシンボルを利用するデジタル通信システムにおいて送信されるシンボルの系列を受信しおよび処理するための受信機および方法である。１６ＱＡＭまたは６４ＱＡＭ等のより高次の変調法で上記系列内の残りのシンボルを変調する一方で、ＢＰＳＫまたはＱＰＳＫ等のより低次の変調法でソフトパイロットシンボルを変調することにより、ソフトパイロットシンボルのセットは、系列内の残りのシンボルよりもより高い信頼性で送信される。ソフトパイロットシンボルの変調方式および位置（時間／周波数／符号）は受信機にとって既知であり、受信機はソフトパイロットシンボルをまず復調する。受信機は、復調されたソフトパイロットシンボルを既知のシンボルとして使用して、受信無線信号のパラメータを推定する。従来の固定のパイロットとは異なり、ソフトパイロットはさらにデータを搬送する。加えて、ソフトパイロットは、より高次の変調シンボルの復調に不可欠である振幅リファレンスを確立するのに特に有用である。【選択図】図１
2011526435.tif 000002
【特許請求の範囲】
【請求項１】
送信されるシンボルの系列を含む受信無線信号のパラメータを推定するための無線受信機における方法であって：
より高い信頼性で送信されるシンボルをまず復調し、ソフトパイロットシンボルを形成するステップと；
前記ソフトパイロットシンボルを既知のシンボルとして利用し、前記受信無線信号のパラメータを推定するステップと；
を含む方法。
【請求項２】
前記ソフトパイロットシンボルは、前記系列内の残りのシンボルについて利用されるより高次の変調法よりもより低次の変調法を有する、請求項１に記載の方法。
【請求項３】
前記ソフトパイロットシンボルを既知のシンボルとして利用する前記ステップは、前記ソフトパイロットシンボルを既知のシンボルとして利用し、より高次の変調シンボルを復調することも含む、請求項２に記載の方法。
【請求項４】
前記パイロットシンボルは、一定の包む変調シンボルであり、前記ソフトパイロットシンボルを既知のシンボルとして利用する前記ステップは、前記ソフトパイロットシンボルを利用し、前記より高次の変調シンボルを復調するための振幅リファレンスを確立することも含む、請求項３に記載の方法。
【請求項５】
前記ソフトパイロットシンボルは、四位相偏移変調（ＱＰＳＫ）または二位相偏移変調（ＢＰＳＫ）で変調され、前記系列内の前記残りのシンボルは、１６値直交振幅変調（１６ＱＡＭ）または６４ＱＡＭで変調される、請求項４に記載の方法。
【請求項６】
前記方法は、前記ソフトパイロットシンボルについての前記系列内の予め定義された位置を示す情報を前記受信機内に予め記憶するステップをさらに含み、前記位置は、時間、周波数および符号の観点から定義される、請求項１に記載の方法。
【請求項７】
前記ソフトパイロットシンボルについての変調方式を示す情報を前記受信機内に予め記憶するステップをさらに含む、請求項６に記載の方法。
【請求項８】
前記方法は、前記ソフトパイロットシンボルについての前記系列内の位置を示す送信機からのシグナリングを受信するステップをさらに含み、前記位置は、時間、周波数および符号の観点から定義される、請求項１に記載の方法。
【請求項９】
前記ソフトパイロットシンボルについての変調方式を示す前記送信機からのシグナリングを受信するステップをさらに含む、請求項８に記載の方法。
【請求項１０】
前記ソフトパイロットシンボルおよびより高次の変調シンボルの両方からデータを抽出するステップをさらに含む、請求項１に記載の方法。
【請求項１１】
送信されるシンボルの系列を含む受信無線信号を処理するためのＧ−Ｒａｋｅ（generalized  Rake）受信機における方法であって：
第１のパスにおける近似の合成重みのセットを算出するステップと；
前記系列内の残りのシンボルよりもより低次の変調法で変調される前記系列内のソフトパイロットシンボルのセットを識別するステップと；
前記近似の合成重みを利用して、前記ソフトパイロットシンボルに対応する逆拡散値をコヒーレントに合成し、シンボル推定値を生成するステップと；
送信について使用されるコンスタレーションを前提として、デコーダの関与なしに前記シンボル推定値についてのシンボルの硬判定を行うステップと；
前記シンボルの硬判定を復調パイロットとして利用し、障害共分散行列をノンパラメトリックに推定するステップと；
推定された前記障害共分散行列を利用して、第２のパスにおける精緻化された合成重みのセットを算出するステップと；
前記精緻化された合成重みを利用して、全てのトラフィックデータを合成するステップと；
を含む方法。
【請求項１２】
送信されるシンボルの系列を含む受信無線信号のパラメータを推定するための無線受信機であって：
前記系列内の残りのシンボルよりもより高い信頼性で送信される前記系列内のシンボルのセットを識別するための手段と；
識別された前記シンボルのセットをまず復調し、ソフトパイロットシンボルを形成するための手段と；
前記ソフトパイロットシンボルを既知のシンボルとして利用し、前記受信無線信号のパラメータを推定するための手段と；
を備える無線受信機。
【請求項１３】
前記ソフトパイロットシンボルは、四位相偏移変調（ＱＰＳＫ）または二位相偏移変調（ＢＰＳＫ）で変調され、前記系列内の前記残りのシンボルは、１６値直交振幅変調（１６ＱＡＭ）または６４ＱＡＭで変調される、請求項１２に記載の無線受信機。
【請求項１４】
前記パイロットシンボルは、一定の包む変調シンボルであり、前記ソフトパイロットシンボルを既知のシンボルとして利用するための前記手段は、前記ソフトパイロットシンボルを利用し、より高次の変調シンボルを復調するための振幅リファレンスを確立するための手段を含む、請求項１３に記載の無線受信機。
【請求項１５】
前記無線受信機は、前記ソフトパイロットシンボルについての変調方式および前記ソフトパイロットシンボルについての前記系列内の予め定義された位置を示す情報を予め記憶するための記憶手段をさらに備え、前記位置は、時間、周波数および符号の観点から定義される、請求項１２に記載の無線受信機。
【請求項１６】
前記無線受信機は、前記ソフトパイロットシンボルについての前記系列内の位置を示す送信機からのシグナリングを受信するための手段をさらに備え、前記位置は、時間、周波数および符号の観点から定義される、請求項１２に記載の無線受信機。
【請求項１７】
前記無線受信機は、前記ソフトパイロットシンボルについての変調方式および前記ソフトパイロットシンボルについての前記系列内の予め定義された位置を示す送信機からのシグナリングを受信するための手段をさらに備え、前記位置は、時間、周波数および符号の観点から定義される、請求項１２に記載の無線受信機。
【請求項１８】
前記ソフトパイロットシンボルおよびより高次の変調シンボルの両方からデータを抽出するための手段をさらに備える、請求項１２に記載の無線受信機。
【請求項１９】
送信されるシンボルの系列を含む受信無線信号を処理するための２パスのＧ−Ｒａｋｅ（generalized  Rake）受信機であって：
第１のパスにおける近似の合成重みのセットを算出するための手段と；
前記系列内の残りのシンボルよりもより低次の変調法で変調される前記系列内のソフトパイロットシンボルのセットを識別するための手段と；
前記近似の合成重みを利用して、前記ソフトパイロットシンボルに対応する逆拡散値をコヒーレントに合成し、シンボル推定値を生成するための手段と；
送信について使用されるコンスタレーションを前提として、デコーダの関与なしに前記シンボル推定値についてのシンボルの硬判定を行うための手段と；
前記シンボルの硬判定を復調パイロットとして利用し、障害共分散行列をノンパラメトリックに推定するための手段と；
推定された前記障害共分散行列を利用して、第２のパスにおける精緻化された合成重みのセットを算出するための手段と；
前記精緻化された合成重みを利用して、全てのトラフィックデータを合成するための手段と；
を備えるＧ−Ｒａｋｅ受信機。
【請求項２０】
送信されるシンボルの系列を含む無線信号を送信するための送信機であって：
チャネル符号化されたビットを低レベルで間引くこと、および既知のビットパターンで置き換えることにより、ソフトパイロットシンボルのセットを挿入するための手段と；
前記系列を変調し、前記無線信号を送信するための手段と；
を備える送信機、および
前記無線信号を受信しおよび処理するための無線受信機であって：
前記無線信号を受信するための手段と；
前記ソフトパイロットシンボルのセットを識別するための手段と；
前記ソフトパイロットシンボルをまず復調するための手段と；
前記ソフトパイロットシンボルを既知のシンボルとして利用し、前記受信無線信号のパラメータを推定するための手段と；
を備える受信機、
を備える無線通信のためのシステム。
【発明の詳細な説明】
【技術分野】
【０００１】
（関連する出願の相互参照）
この出願は、２００８年６月１７日に提出された米国の仮出願第６１／０７３，２６４号の利益を主張し、当該仮出願の開示は、全体として参照によりここに取り入れられる。
【０００２】
本発明は、デジタル無線通信システムに関する。限定としてではなくより具体的には、本発明は、ソフトパイロットシンボルを利用するデジタル通信システム内で、送信されるシンボルの系列を受信しおよび処理するための、受信機および方法に向けられる。
【背景技術】
【０００３】
デジタル通信システムでは、受信側は、送信されたデータを正確に復調するためにいくつかのパラメータを推定しなければならない。受信側は、送信側にフィードバックするための信号品質の基準も推定する必要があり得る。パラメータ／信号品質の推定は、一般的に３つのカテゴリに分かれる。
【０００４】
（１）ブラインド（blind）推定。一般的に、このアプローチは、事前に知られまたはゆっくりと学習される（例えば、２次統計）、いくつかの信号またはチャネルの特性／特徴に依存する。ブラインド推定の最大の問題は、パフォーマンスである。ブラインド推定は、一般的に、他のアプローチに比べてパフォーマンスが大幅に劣る。また、ブラインド推定のアルゴリズムは、より複雑であり得る。
【０００５】
（２）パイロット支援。このアプローチは、送信信号内に既知の（すなわち、パイロット）シンボルを含む。パイロットシンボルが、データと同じ効果的なフェージングを経験する限り、パイロットシンボルは、データ系列（例えば、ＧＳＭのミッドアンブル（midamble））内に組み込まれ、またはＷＣＤＭＡでのパイロット符号等の別のリソースを割当てられることが可能である。パイロット支援アプローチは、一般的に最高のパフォーマンスを提供する。しかしながら、パイロットシンボルは、そうでなければ有用なデータの送信に充てられ得るリソースを消費する。典型的に、良い推定のための十分なパイロットを有することと、データのスループットを最大化することとの間には、トレードオフがある。
【０００６】
（３）データ支援。このアプローチは、復調されるデータシンボルを「追加」パイロットシンボルとして使用する。一般的に、このアプローチは、ブラインド推定アプローチまたはパイロット支援アプローチのいずれかと併せて使用される。データ支援アプローチに関連付けられる２つの問題がある。第１に、ブラインド推定若しくはパイロット支援推定（または両方）は、典型的に第１の受信側ステップとして要求される。したがって、データ支援アプローチは、受信側における余分な複雑さを要求する。第２に、データ支援アプローチは、データの復調におけるエラーの影響に起因して受信側のパフォーマンスを低下させ得る。データ支援アプローチでは、復調されたデータシンボルは、正しいとみなされ、追加のパイロットシンボルとして使用される。しかしながら、データシンボルが誤っている場合、パラメータ／信号品質の推定アルゴリズムは誤った結果をもたらし得る。誤ったシンボル判定の影響は、一推定間隔以上の間持続し得る。よって、データ支援アプローチは、エラーの広がりの影響を避けるための特別なメカニズムを必要とし得る。
【０００７】
データ支援アプローチは、多くの既存の通信システムで利用されている。例えば、広帯域符号分割多元接続（ＷＣＤＭＡ）システムでは、アップリンク上の制御チャネルは復調／復号され、シンボル判定は有効なパイロットとして使用される。これは、ＷＣＤＭＡのダウンリンク上の制御チャネルについても提案されている。Ｄ−ＡＭＰＳ（Digital  Advanced  Mobile  Phone  System）では、チャネルは、まず同期ワード上で推定され、次に等化の間にデータ上でトラッキングされる。等化器では、早期の一時的な信頼できない判定はトラッカ（tracker）に入力され、遅延したより良い判定は復号器に入力される。また、Ｄ−ＡＭＰＳおよびＧＳＭでは、マルチパスの（ターボ）復調／復号は、復号／再符号化されたシンボルを第２のパスでの有効なパイロットとして使用する。
【発明の概要】
【０００８】
本発明は、他のシンボルよりもより高い信頼性を有するシンボルを送信することにより、従来技術の不都合を克服する。これらのいわゆる「ソフトパイロット」は、まず復調され、その後チャネル推定およびより高次の変調シンボルの復調（振幅リファレンス）での使用のための既知のシンボルとして使用される。
【０００９】
したがって、本発明の一実施形態は、送信されるシンボルの系列を含む受信無線信号のパラメータを推定するための無線受信機での方法に向けられる。当該方法は、より高い信頼性で送信されるシンボルをまず復調し、ソフトパイロットシンボルを形成するステップと、ソフトパイロットシンボルを既知のシンボルとして利用し、受信無線信号のパラメータを推定するするステップと、を含む。これらのソフトパイロットシンボルは、周囲のシンボルよりもよりロバストであり、したがってより信頼性のある判定に向けたパラメータ推定を可能にする。加えて、より高次の変調シンボルの間に「一定の包絡線」の変調シンボルを挿入することは、より高次の変調シンボルの復調に不可欠である振幅リファレンスを確立するのに特に有用である。
【００１０】
一実施形態では、ソフトパイロットシンボルは、残りのシンボルの系列と比べてより単純で低次の変調法（例えば、ＢＰＳＫ、ＱＰＳＫ）で変調される。ここで、残りのシンボル系列はおそらくより高次の変調法（例えば、１６直交振幅変調（１６ＱＡＭ）または６４ＱＡＭ）である。シンボルについてデータスループットを認めない固定のパイロットシンボルとは対照的に、これらのソフトパイロットを使用することにより、当該シンボルは、さらにデータを搬送することができる。これらの特定のソフトシンボルの位置（時間／周波数／符号）および変調方式は、受信機にとって既知である。受信機にとって情報は事前に既知であり、または受信機はシグナリングを通じて情報を知得してもよい。
【００１１】
［００１０］ソフトパイロットは、ＷＣＤＭＡの今後のリリースについて明示的なデータパイロットの代替手段を提供する。ソフトパイロットシンボルに伴い、明示的なパイロットシンボルは必要ではない。変調方式並びに時間、周波数および符号におけるソフトパイロットの位置が既知であることで、受信機はパフォーマンスを最大化することができる。これにより、そうでなければ明示的なパイロットシンボルを用いて可能であるデータレートよりも、より良好なデータレートが可能となる。
【００１２】
本発明の特定の実施形態では、本発明は、２パスのＧ−Ｒａｋｅ（Generalized  Rake）受信機内で実装される。Ｇ−Ｒａｋｅ受信機のパフォーマンスは、理想的な受信機とほぼ同様に機能する程に改善される。したがって、本発明は、線形等化のアプローチを前提として最高のパフォーマンスを提供する。２パスのＧ−Ｒａｋｅ受信機は、第１のパスにおける近似の合成重みのセットを算出するための手段と；系列内の残りのシンボルよりもより低次の変調法で変調される系列内のソフトパイロットシンボルのセットを識別するための手段と；近似の合成重みを利用して、ソフトパイロットシンボルに対応する逆拡散値をコヒーレントに合成し、シンボル推定値を生成するための手段と；を含む。受信機は、シンボル推定値を再スケーリングするための手段と；送信について使用されるコンスタレーションを前提として、デコーダの関与なしに再スケーリングされたシンボル推定値についてのシンボルの硬判定を行うための手段と；シンボルの硬判定を復調パイロットとして利用し、障害共分散行列をノンパラメトリックに推定するための手段と；も含む。受信機は、推定された障害共分散行列を利用して、第２のパスにおける精緻化された合成重みのセットを算出するための手段と；精緻化された合成重みを利用して、全てのトラフィックデータを合成するための手段と；も含む。
【００１３】
別の実施形態では、本発明は、以下の詳細な記述において説明されるような上記方法を実行するための送信機および受信機を備えるシステムに向けられる。
【図面の簡単な説明】
【００１４】
以下のセクションでは、発明は、図面にて図示される例示的な実施形態を参照して説明される。
【図１】本発明の方法の例示的な実施形態のステップを説明するフローチャートである。
【図２】本発明の例示的な一実施形態における、１６ＱＡＭについてのコンスタレーション内のポイントにマッピングされるデータビットを示す。
【図３】本発明の例示的な別の実施形態における、１６ＱＡＭについてのコンスタレーション内のポイントにマッピングされるデータビットを示す。
【図４】（先行技術）ＨＳ−ＤＳＣＨについての既存のチャネル符号化チェーンを説明する。
【図５】本発明の例示的な実施形態におけるＨＳ−ＤＳＣＨについてのチャネル符号化チェーンを説明する。
【図６】本発明の例示的な実施形態におけるソフトパイロット生成プロセスの概観を説明するフロー図である。
【図７】本発明の例示的な実施形態におけるＨＳ−ＤＳＣＨについてのソフトパイロット生成プロセスを説明するフロー図である。
【図８】本発明の例示的な実施形態におけるＥ−ＤＣＨについてのソフトパイロット生成プロセスを説明するフロー図である。
【図９】Ｅ−ＤＣＨについてのインターリーバ構造の例示的な実施形態の機能ブロック図である。
【図１０】ソフトパイロットシンボルの位置の第１の例示的な実施形態を説明する。
【図１１】ソフトパイロットシンボルの位置の第２の例示的な実施形態を説明する。
【図１２】本発明の２パスのＧ−Ｒａｋｅ受信機の例示的な実施形態の機能ブロック図である。
【図１３】本発明の２パスのＧ−Ｒａｋｅ受信機により実行される処理方法の例示的な実施形態を説明するフローチャートである。
【発明を実施するための形態】
【００１５】
より高いデータレートの通信のために、１６ＱＡＭおよび６４ＱＡＭ等のより高次の変調法が利用され、スペクトル効率が向上する。本発明の第１の実施形態によると、送信機は、データ系列中のあるシンボルをいわゆる「ソフトパイロット」シンボルとして指定する。送信機は、これらのシンボルについて特定の代替となる変調を使用することにより指定する。この特定の変調の次数および（時間、符号および／または周波数の観点からの）これらのシンボルの位置は、受信機にとって既知であり、または受信機にシグナリングされる。受信機は、ソフトパイロットシンボルを利用して、チャネルタップおよび相関行列等の信号パラメータの初期推定値を得る。第１の復号の後、判定されたシンボルは、パラメータ推定の第２のパスで有効なパイロットとして利用され得る。判定されるソフトパイロットシンボルを系列内の残りのシンボルよりも低次の変調に限定することにより、判定は、ソフトパイロットシンボルを有用なパイロットにするのに足りるほど信頼できる。ソフトパイロットシンボルは、従来の固定のパイロットとは異なる。データスループットには、これらのソフトパイロットシンボルにより搬送されるものもある。したがって、従来の固定のパイロットをソフトパイロットで置き換えることは、データスループットを向上させる。
【００１６】
図１は、本発明の方法の例示的な実施形態のステップを説明するフローチャートである。ステップ１１では、無線信号は、（例えば、より低次の変調法を用いて）他の送信されるシンボルよりもより高い信頼性を有するいくつかのシンボルで送信される。ステップ１２では、無線信号が受信され、より高い信頼性を有するシンボルがまず復調されて、ソフトパイロットシンボルが形成される。ステップ１３では、ソフトパイロットは、チャネル推定およびより高次の変調シンボルの復調のための既知のシンボルとして利用される。ステップ１４では、データは、ソフトパイロットシンボルおよびより高次の変調シンボルの両方から抽出される。
【００１７】
本発明の例示的な実施形態は、変調方式およびデータ系列の中のソフトパイロットシンボルの位置（時間／周波数／符号）を特定する。本発明の一実施形態によると、コンスタレーション内のソフトパイロットのポイントは、１６ＱＡＭまたは６４ＱＡＭのようなデータ送信のためのより高次の変調コンスタレーションのサブセットとみなされる。送信機は、二位相偏移変調（ＢＰＳＫ）または四位相偏移変調（ＱＰＳＫ）等の特定されたより低次の変調法を、パイロットシンボルのために利用し得る。残りのシンボルの系列のために、送信機はより高次の変調法（例えば、１６ＱＡＭまたは６４ＱＡＭ）を利用し得る。これらの特定されたソフトシンボルの位置および変調方式は、受信機にとって既知である。受信機は、事前にまたはシグナリングを通して情報を知得してもよい。
【００１８】
したがって、本発明は、より高次の変調シンボルの間に挿入されるより低次の変調シンボルを送信する。そして、受信機は、有効なパイロットとしてより低次の変調シンボルを活用するために、関連付けられた動作を実行する。シンボルは、ビット数ｍの範囲を繰り上げることができる。ｍ＝０ビットは純粋なパイロットに対応し、ｍ＝１ビットはＢＰＳＫに対応し、ｍ＝２ビットはＱＰＳＫに対応する等、最大数Ｍ（６４ＱＡＭのためのＭ＝６）までである。簡単にするために全てのシンボルが同じエネルギーを有すると仮定すると、その結果ビットエネルギーおよびビットの信頼性はｍと共に減少する。したがって、シンボルは、様々なレベルの信頼性をもつパイロットとして使用されることが可能であり、受信機は、マルチパスの中でパラメータ推定を実行することができる。
【００１９】
図２は、本発明の例示的な一実施形態における、１６ＱＡＭについてのコンスタレーション内のポイントにマッピングされるデータビットを示す。（星印のついたポイントとして図中に示されている）１６ＱＡＭコンスタレーションの四角のポイントが、ソフトパイロットについてのコンスタレーションとみなされる。この実施形態の２つの特徴を容易に認識することができる。第１に、ソフトパイロットのコンスタレーションは、スケーリングされたＱＰＳＫコンスタレーションと等しい。したがって、ソフトパイロットのコンスタレーションは、一定の包絡線（envelope）およびより高い平均電力という利益を提供する。第２に、ソフトパイロットのコンスタレーションポイントは、ビットラベルのサブセットを固定することにより、より高次のコンスタレーション内で容易に対応されることが可能である。図２に示される例では、ソフトパイロットのコンスタレーションポイントは、最後の２つのビットラベルを「１１」に固定されたものである。
【００２０】
上記のとおり、ソフトパイロットシンボルの使用により、送信される１６ＱＡＭまたは６４ＱＡＭのシンボルは、より高い平均電力を有することになる。例えば、１つのチャネライゼーションコードについての１０分の１のシンボルがソフトパイロットシンボルである場合、平均電力は、１６ＱＡＭについては０．１５ｄＢ増加し、６４ＱＡＭについては０．５４ｄＢ増加する。または、１５個のチャネライゼーションコードがあり、１５個のチャネライゼーションコードうち１つについての１０分の１のシンボルがソフトパイロットシンボルである場合、平均電力は、１６ＱＡＭについては０．０２ｄＢのみ増加し、６４ＱＡＭについては０．０４ｄＢのみ増加する。実際には、送信電力は、ソフトパイロットを利用する場合にこれらの量だけ減少しなければならないかもしれない。しかしながら、全体のシステムパフォーマンスはソフトパイロットの使用により向上されるということが、見受けられた。
【００２１】
図３は、本発明の例示的な別の実施形態における、１６ＱＡＭについてのコンスタレーション内のポイントにマッピングされるデータビットを示す。この実施形態では、ソフトパイロットのコンスタレーションの大きさは、データを搬送するためのより高いキャパシティを与えるために拡大されている。しかしながら、ソフトパイロットのコンスタレーションは、一定した直交位相（quadrature）の振幅という特徴を提供する。当該特徴は、振幅リファレンスを得るために利用され得る。ソフトパイロットのコンスタレーションポイントは、最後のビットラベルを「１」に固定することにより、より高次のコンスタレーション内でも対応される。代替となるソフトパイロットのコンスタレーションが、３番目のビットラベルを「１」に固定することにより特定され、一定した同相（in-phase）の振幅を提供し得ることは、当業者にとって明らかである。
【００２２】
（ＨＳＰＡでのソフトパイロットの生成）
ソフトパイロットの導入は、送信信号が搬送することができるチャネル符号化されたビットの数を減少させる。チャネル符号化されたビットの減少は、以下に説明される２つの異なるアプローチにより実装されることが可能である。
【００２３】
図４は、高速ダウンリンク共有チャネル（ＨＳ−ＤＳＣＨ）についての既存のチャネル符号化チェーンを説明する。チャネル符号化されたビットの減少を実装するための第１のアプローチでは、チャネル符号化チェーン全体の振るまいが、ＨＳ−ＤＳＣＨについての振るまいと同様に変更される。しかしながら、この影響は、単に「物理レイヤＨＡＲＱ機能性」により出力される符号化されたビットの数が異なるということではない。この影響は、むしろ、「物理レイヤＨＡＲＱ機能性」、「物理チャネルセグメンテーション」、「ＨＳ−ＤＳＣＨインターリービング」、および「コンスタレーションの再構成」の中における、相互接続され複雑な物理レイヤの様々な手続きの、大幅な再設計および再定義である。重要なチャネル符号化チェーンのそのような大幅な再設計は、ほとんどの既存の実装を使われなくし、ネットワーク内で新たな機器およびレガシー機器と共存することは難しいであろう。
【００２４】
図５は、本発明の例示的な実施形態におけるＨＳ−ＤＳＣＨについてのチャネル符号化チェーンを説明する。チャネル符号化されたビットの減少を実装するための好ましい第２のアプローチでは、ソフトパイロットシンボルは、望ましくは、チャネル符号化チェーンの「物理チャネルマッピング」段階の前に、チャネル符号化されたビットの低レベルの間引きにより生成される。したがって、好ましい実施形態は、「物理レイヤＨＡＲＱ機能性」、「物理チャネルセグメンテーション」「ＨＳ−ＤＳＣＨインターリービング」および「コンスタレーションの再構成」の段階に対して、ソフトパイロットシンボルの存在を透過的にする。
【００２５】
図６は、本発明の例示的な実施形態におけるソフトパイロット生成プロセスの概観を説明するフロー図である。ＨＳＤＰＡでは、物理レイヤＨＡＲＱ機能性およびＨＳ−ＤＳＣＨチャネルインターリービングにおけるビット収集（bit  collection）手続きは、もしあれば系統的なターボ符号化されたビットをできる限り１６ＱＡＭまたは６４ＱＡＭの第１のビットラベルにマッピングするように設計される。この設計の目的は、重要である系統的なターボ符号化されたビットがより高い信頼性を有するチャネル上で送信されることを保証することである。図６に示されるとおり、ペアとなるビット毎の多重化および独立した矩形（rectangular）インターリーバを利用することにより、チャネルインターリーバでこれは達成される。データ変調がＱＰＳＫに基づく場合、第１の矩形インターリーバのブランチが有効である。データ変調が１６ＱＡＭに基づく場合、第１のおよび第２の矩形インターリーバのブランチが有効である。データが６４ＱＡＭにより搬送される場合、３つのブランチ全てが有効である。３ＧＰＰの“Technical  Specification  Group  Radio  Access  Network;  Spreading  and  Modulation  (FDD)”TS  25.213  v8で仕様化されているコンスタレーションのラベリングを加味すると、第１のブランチ内のビットは、最も高い信頼性を有するチャネル上で送信される。第３のブランチ内のビットは、最も低い信頼性で送信される。したがって、初期の送信では、系統的なビットは、通常、できる限り第１のブランチを通して送信される。初期の送信については、ＨＡＲＱのパラメータは、「コンスタレーション再構成」が実質的に回避されるように設定される。チャネルインターリービングの直後にソフトパイロットシンボルを挿入することができることは、当業者にとって明らかなはずである。再送信のために、ＨＡＲＱのパラメータが使用され、チャネル符号化されたビットを様々な信頼性で効果的に再送信するために「コンスタレーション再構成」が指示されることが可能である。ソフトパイロットシンボルは、「コンスタレーション再構成」の手続きの後に、信号に挿入され得る。
【００２６】
図７は、本発明の例示的な実施形態におけるＨＳ−ＤＳＣＨについてのソフトパイロット生成プロセスを説明するフロー図である。符号化されたビットの入力はrp,kにより示され、出力はr’p,kにより示される。通常、入力されたビットは、修正なしですなわちr’p,k＝rp,kで、出力に送られる。（図２に示されるような）スケーリングされたＱＰＳＫのソフトパイロットシンボルが挿入され、１６ＱＡＭのデータシンボルが置き換えられる場合、その結果r’p,k＝rp,k、r’p,k+1＝rp,k+1、r’p,k+2＝１、およびr’p,k+3＝１となる。スケーリングされたＱＰＳＫのソフトパイロットシンボルが挿入され、６４ＱＡＭのデータシンボルが置き換えられる場合、その結果r’p,k＝rp,k、r’p,k+1＝rp,k+1、r’p,k+2＝１、r’p,k+3＝１、r’p,k+4＝１、およびr’p,k+5＝１となる。
【００２７】
（図３に示されるような）一定した直交位相の振幅を有するソフトパイロットシンボルが挿入され、１６ＱＡＭのデータシンボルが置き換えられる場合、その結果r’p,k＝rp,k、r’p,k+1＝rp,k+1、r’p,k+2＝rp,k+2、およびr’p,k+3＝１である。一定した直交位相の振幅を有するソフトパイロットシンボルが挿入され、６４ＱＡＭのデータシンボルが置き換えられる場合、その結果r’p,k＝rp,k、r’p,k+1＝rp,k+1、r’p,k+2＝rp,k+2、r’p,k+3＝１、r’p,k+4＝rp,k+4、およびr’p,k+5＝１となる。一定した同相の振幅を有するソフトパイロットシンボルが挿入され、１６ＱＡＭのデータシンボルが置き換えられる場合、その結果r’p,k＝rp,k、r’p,k+1＝rp,k+1、r’p,k+2＝１、およびr’p,k+3＝rp,k+3である。一定した直交位相の振幅を有するソフトパイロットシンボルが挿入され、６４ＱＡＭのデータシンボルが置き換えられる場合、その結果r’p,k＝rp,k、r’p,k+1＝rp,k+1、r’p,k+2＝１、r’p,k+3＝rp,k+3、r’p,k+4＝１、およびr’p,k+5＝rp,k+5となる。
【００２８】
（拡張専用チャネル（Ｅ−ＤＣＨ）についてのソフトパイロットの生成）
図８は、本発明の例示的な実施形態におけるＥ−ＤＣＨについてのソフトパイロット生成プロセスを説明するフロー図である。ＨＳ−ＤＳＣＨと同様の信頼性の識別を達成するために、物理レイヤＨＡＲＱ機能性およびチャネルインターリービングにおけるビット収集手続きは、もしあれば系統的なターボ符号化されたビットをできる限り４ＰＡＭの第１のビットラベルにマッピングするように設計される。好ましい実施形態によると、ソフトパイロットシンボルは、Ｅ−ＤＣＨチャネルインターリービングの後に生成される。
【００２９】
図９は、Ｅ−ＤＣＨについてのインターリーバ構造の例示的な実施形態の機能ブロック図である。データが４ＰＡＭにより搬送される場合に、チャネルインターリービングは２つの矩形インターリーバのブランチにより促進される。「ソフトパイロットの生成」への符号化されたビットの入力はvp,kにより示され、出力はv’p,kにより示される。通常、入力されたビットは、修正なしですなわちv’p,k＝vp,kで、出力に送られる。スケーリングされたＢＰＳＫのソフトパイロットシンボルが挿入され、４ＰＡＭのデータシンボルが置き換えられる場合、その結果v’p,k＝vp,k、v’p,k+1＝１となる。
【００３０】
好ましい実施形態によると、ソフトパイロットシンボルは、固定の（時間および符号／周波数の観点からの）位置にあるチャネル符号化されたビットを間引くことにより生成される。受信機側では、間引きされたビットに対応するソフト値は０に設定される。これにより、ソフトパイロットシンボルの使用は、中核であるレートマッチング解除（de-rate-matching）およびチャネルデコーダの実装に変化をもたらさない。
【００３１】
この実施形態によると、ソフトパイロットシンボルは、最も信頼性の低いビットラベルにマッピングされるチャネル符号化されたビットを間引くことにより生成される、ということにも留意する。これらの低信頼性のビットに対応するソフト値は通常非常に小さいため、それらを０に設定することは、チャネル符号化のパフォーマンス全体にごくわずかな影響しか及ぼさない。
【００３２】
（ソフトパイロットシンボルの位置）
ソフトパイロットシンボルは、同一の符号上、単一の別々の符号上、ＭＩＭＯ（Multiple-Input-Multiple-Output）システムにおける別々のアンテナ上、等に組み込まれ得る。ソフトパイロットシンボルが別々の符号および／またはアンテナ上で同時に発生し、または同時に発生しないように、配置が調整され得る。
【００３３】
様々な実践的な手法でソフトパイロットシンボルを信号に挿入することができる。
【００３４】
１．ＨＳＰＡ−ＨＳＰＡユーザに割当てられる１つの符号は、ソフトパイロットシンボルを利用し、一方で、同じユーザに割当てられる他の符号は、より高次の変調を利用する。
【００３５】
２．ＨＳＰＡ−ＨＳＰＡユーザに割当てられる各符号の範囲内のあるデータシンボルは、ソフトパイロットシンボルであり、一方で、当該符号での残りのシンボルは、従来のデータシンボルである。例えば、符号Ａ上の０からＮ−１のシンボル、符号Ｂ上のＮから２Ｎ−１のシンボル、等は、ソフトパイロットシンボルであり得る。
【００３６】
３．ＨＳＰＡ−Ｎから２Ｎのシンボルは、ＨＳＰＡユーザに割当てられる全符号上でソフトパイロットシンボルであり、一方で、同じユーザに割当てられる符号の範囲内の残りのシンボルは、従来のデータシンボルである。
【００３７】
ＬＴＥ（Long  Term  Evolution）−組み込まれる復調パイロットの一部（または全部）について、復調パイロットをソフトパイロットシンボルで置き換える。
【００３８】
以下の実施形態は、（ａ）時間変動するチャネルをサポートすること、（ｂ）符号化のパフォーマンスへの影響を最小化すること、および（ｃ）ピーク対平均比（ＰＡＲ）に対する影響を減らすこと、をさらに考慮して設計する。
【００３９】
図１０は、ソフトパイロットシンボルの位置の第１の例示的な実施形態を説明する。ソフトパイロットシンボルは、時間変動するチャネルについてより信頼性のあるリファレンスを提供するために時間内で分散される。シンボルの正確な位置は、周期的なパターンにより特定され得る。推定ノイズ低減の平均化を可能とするために、ソフトパイロットシンボルは、１つ以上の符号で同じ分散位置に存在し得る。ソフトパイロットシンボルをただ１つの（または非常に少ない）符号に集中させるのとは対照的に、符号全体にわたる分散パターンは、チャネル復号のパフォーマンス全体に対する影響を最小化する。
【００４０】
図１１は、ソフトパイロットシンボルの位置の第２の例示的な実施形態を説明する。図１０にて既に説明された実施形態は、ソフトパイロットシンボルが有効なＰＡＲの増加に寄与しない場合にのみ適している。ＰＡＲの増加が関心事である場合、図１１の実施形態を採用することができる。別々の符号間におけるソフトパイロットシンボルの位置は、ＰＡＲの増加を減らすためにオフセットされる。
【００４１】
ソフトパイロットシンボルの使用は様々な利益を提供する。第１に、ソフトパイロットシンボルは周囲のシンボルよりもよりロバストであり、したがって判定に向けた信頼性のあるパラメータ推定を提供する。第２に、シンボルにデータスループットを認めない固定のパイロットシンボルとは対照的に、ソフトパイロットシンボルはさらにデータを搬送し得る。第３に、ソフトパイロットシンボルを、より高次の変調シンボルの間に挿入される「一定の包絡線」の変調シンボルにすることにより、ソフトパイロットシンボルは、より高次の変調シンボルの復調に不可欠である振幅リファレンスを確立するのに特に有用となる。
【００４２】
ソフトパイロットシンボルの使用は、いずれの有線または無線の通信システムに適用可能である。ソフトパイロットは、従来のパイロット支援スキームよりもより高いデータスループットを提供し、ほとんどのブラインド推定スキームのようにパフォーマンスを犠牲にしない。ソフトパイロットアプローチは、受信機がデータ支援アプローチを使うことを要求する。しかしながら、従来のデータ支援アプローチとは対照的に、本発明は、ソフトパイロットシンボルの変調および（時間／符号／周波数における）位置を特定する。それにより、受信機は、データ支援アプローチで使用できるある高品質のシンボルがあることを知得する。そのようなシンボルに基づく受信機の推定アルゴリズムは、間違いが発生しにくく、また一貫して良いパラメータおよび／または信号品質の推定を提供する。
【００４３】
ソフトパイロットを利用することができるＨＳＰＡ受信機は、データ支援Ｇ−Ｒａｋｅ（Generalized  Rake）受信機からなる例示的な実施形態で以下に十分に説明される。背景として、Ｇ−Ｒａｋｅ受信機は、分散チャネル（dispersive  channel）での干渉を経験するＷＣＤＭＡ信号を受信し、処理する。この干渉は、自己干渉（シンボル間の干渉）、マルチアクセス干渉（０ではない符号の相互相関に起因する干渉）、および他のセル（ダウンリンク）またはユーザ（アップリンク）による干渉からなる。良いＨＳＤＰＡスループットを達成するために、この干渉は抑制されなければならない。さらに、タイプ２（シングルアンテナの端末）およびタイプ３（デュアルアンテナの端末）の受信機について３ＧＰＰにより設定されている強化されたスループット要件は、干渉の抑制なしには満たし得ない。
【００４４】
干渉を抑制するための線形法は、一般的に、チップレベルの等化またはシンボルレベルの等化というカテゴリに分かれる。シンボルレベルの等化は、従来のＲａｋｅアーキテクチャに従う。当該アーキテクチャでは、受信されたチップレベルのデータが複数の遅延で逆拡散され、その後複数のイメージが合成される。チップレベルの等化はこれらの動作の順序を逆にする。すなわち、受信されたチップデータは、まず線形フィルタを使用して合成され、次に単一の遅延で逆拡散される。これらの技術は、一般的にパフォーマンスの観点から等しい。
【００４５】
図１２は、本発明を利用するために変更され得るＧ−Ｒａｋｅ受信機２０の機能ブロック図である。受信機は、例えばモバイル端末または他の無線通信装置で実装され得る。スペクトル拡散信号は、無線チャネルを通して送信され、受信機の１つ以上のアンテナで受信される。無線プロセッサ（図示せず）は、受信信号から一連のデジタルベースバンド信号のサンプル２１を生成し、それらをＧ−Ｒａｋｅ受信機に入力する。今度は、Ｇ−Ｒａｋｅ受信機２０は、ソフト値またはビット推定値２２を生成するために、受信信号のサンプルを復調する。これらの推定値は、前方誤り訂正（ＦＥＣ）復号および音声、テキストまたはグラフィック画像への変換等のさらなる処理のために、１つ以上のさらなる処理回路（図示せず）へ提供される。受信信号により搬送される特定の情報の種類および受信機２０により適用される特定の処理ステップは、受信機の対象とする用途および種類の機能である、ということを当業者は認識するであろう。
【００４６】
本発明のソフトパイロットシンボルとの使用に適したＧ−Ｒａｋｅ受信機の完全な説明は、共有の米国特許出願公開第２００５／０２０１４４７号にて提供される。当該公開は、全体として参照によりここに取り入れられる。
【００４７】
まずシンボルレベルの等化から始めると、Ｇ−Ｒａｋｅの合成重みは、コヒーレント合成および干渉の抑制を実行する。合成重みは、以下のように与えられる。
【００４８】
【数１】
2011526435.tif 000003
【００４９】
ここで、Ruは、障害（impairment）共分散行列であり、hは正味のチャネル係数（net  channel  coefficients）のベクトルである。「障害」という用語は干渉およびノイズの両方を含み、一方で「正味のチャネル係数」という用語は送信フィルタおよび受信フィルタ並びにフェージングチャネルの影響を含むチャネル係数を示す、ということが留意されるべきである。
【００５０】
Ｇ−Ｒａｋｅ受信機を実装するための２つの一般的な手段がある。これらの手段は、ノンパラメトリックおよびパラメトリックとして一般的に知られている。ここでの当該術語は、障害共分散行列を得るためにとられるアプローチに焦点をあてる。ノンパラメトリック法は、ブラインドであり、観測されたデータから直接的にRuを推定する。パラメトリック法は、基礎となるモデルを推定し、モデルのパラメータからRuを算出する。両方の手段の例は以下で提供される。
【００５１】
障害共分散行列のノンパラメトリックの推定値を得ることができる２つの手段がある。第１のアプローチは、パイロットチャネルを使用して、スロットベースの量を推定する。
【００５２】
【数２】
2011526435.tif 000004
【００５３】
これらの量を使用すると、以下の式から障害共分散行列を得ることができる。
【００５４】
【数３】
2011526435.tif 000005
【００５５】
障害共分散行列のノンパラメトリックの推定値を生成するための別のアプローチは、２００８年６月９日に提出された共有で同時係属の米国特許出願第１２／１３５，２６８号で説明されているように未使用のトラフィック符号を使用することを含む。これらの符号についての逆拡散値は、障害のサンプルのみを含む。これらの障害のサンプルを使用して、以下のようにRuを直接的に推定することができる。
【００５６】
【数４】
2011526435.tif 000006
【００５７】
ここで、xqtraffic(k)は、k番目のシンボル間隔の間におけるq番目の符号についてのトラフィックシンボルの逆拡散ベクトルであり、NTは符号毎のシンボル数であり、NCは符号数である。
【００５８】
障害共分散行列を生成するためのパラメトリックアプローチは、共有の米国特許出願公開第２００５／２０１４４７号で説明されているように、干渉についてのモデルに依存する。このモデルは、ＵＥとモデル化された基地局との間の無線チャネルに依存する。単一のサービング基地局およびJ個の干渉する基地局を仮定すると、障害共分散行列のモデルは以下により与えられる。
【００５９】
【数５】
2011526435.tif 000007
【００６０】
【数６】
2011526435.tif 000008
【００６１】
ここで、Ec(j)は、基地局についての総チップエネルギーである。giは、ＵＥとj番目の基地局との間のチャネルについての無線チャネル（中間）係数のベクトルである。Rp(θ)は、θで評価される受信および送信のパルス整形フィルタの畳み込みを表す。τjは、ＵＥとj番目の基地局との間のチャネルに対応するL個のチャネル遅延のベクトルである。Tcは、チップ時間である。dkは、ＵＥにより用いられるk番目のフィンガの遅延である。
【００６２】
［００１１］チップの等化は、G.  Klutz  et  al.,  "Sparse  Chip  Equalizer  for  DS-CDMA  Downlink  Receivers",  IEEE  Communication  Letters,  vol.9,  no.1  ,  pp.10-12,  2005  にて検討されている。Klutzによると、チップレベルでの受信信号は以下により与えられる。
【００６３】
【数７】
2011526435.tif 000009
【００６４】
ここで、rは、受信されたチップのN＋L−1のブロックである。Hは、テプリッツ（Toeplitz）畳み込み行列である。当該行列の列は、遅延スプレッドLを有する時間シフト版のチャネルインパルス応答h（チップまたはサブチップ版の正味チャネル係数）である。vは、近隣の基地局および熱雑音に起因するホワイトガウスノイズを表す。cは、送信されたチップの系列である。等式（７）における干渉を抑制するチップ等化器のフィルタfは、以下の解である。
【００６５】
【数８】
2011526435.tif 000010
【００６６】
【数９】
2011526435.tif 000011
【００６７】
データブロック毎にS個のパイロットシンボルがあること、および行列Rの列は時間シフト版のチップレベルの受信信号rであることが仮定されている、とういことに留意する。
【００６８】
Ｇ−Ｒａｋｅと同様に、チップ等化器のフィルタを生成する様々な手法がある。パラメトリックアプローチ、ノンパラメトリックアプローチ、および直接適応アプローチが使用され得る。パラメトリックの形式とノンパラメトリックの形式とは、どのようにＡ行列が算出されるかの点で異なる。ノンパラメトリックの形式は、受信されたチップデータを直接的に使用して、行列Ａを以下のように算出する。
【００６９】
【数１０】
2011526435.tif 000012
【００７０】
その一方、パラメトリックの形式は、代わりに、チャネルインパルス応答、サービング基地局とホワイトガウスノイズの電力を用いて機能する。パラメトリックの形式についてのＡ行列のエントリは、以下のように定められることが可能である。
【００７１】
【数１１】
2011526435.tif 000013
【００７２】
ここで、τkはk番目のチップ等化器のタップの遅延であり、Iorはサービング基地局の電力であり、Iocはホワイトガウスノイズの電力である。直接適応アプローチは、等化の問題を適応フィルタリングの問題として取り扱う。直接適応アプローチは、共通パイロット信号を既知のリファレンスとして使用して、一般的な適応フィルタのアルゴリズム（ＬＭＳ、ＲＬＳ、等）のいずれかを使用してフィルタタップをトレーニングする。
【００７３】
既存のパラメトリックおよびノンパラメトリックの等化アプローチは、異なる強みおよび弱みを有する。Ｇ−Ｒａｋｅのパラメトリックアプローチ／ノンパラメトリックアプローチの強みおよび弱みは、以下で検討される。これらの強み／弱みはチップ等化について同様に当てはまるものと仮定する。
【００７４】
パラメトリックアプローチの強みは、パフォーマンス（ＢＥＲ、ＢＬＥＲ、またはスループット）がＵＥの速度に比較的影響を受けないことである。パラメトリックアプローチの主な弱みは、経路探索部（pass  searcher）／遅延推定部（delay  estimator）が発展させるチャネル情報に依存することである。この情報が正しくない場合、その結果障害の実際の特色は誤ってモデル化され、パフォーマンスの低下につながるであろう。
【００７５】
ノンパラメトリックアプローチの強みは、ブラインド技術であることである。干渉についての特別なモデルはなく、そのため全ての干渉が推定アプローチにより捕らえられる。しかしながら、このブラインドアプローチは、間接的に弱みでもある。ブラインドアプローチは、典型的に、良好に機能するためにかなりの量の「トレーニング」データを必要とする。パイロットチャネルは、スロット毎に１０シンボルだけ有する。そのため、共分散の推定へのパイロットベースのアプローチは、良好に機能するためにかなりの平準化（フィルタリング）を必要とする。平準化は、低速へのアプローチの有効性を限定する。未使用符号のアプローチは、未使用の符号が識別可能である場合に非常に有効である。しかしながら、ダウンリンク内で未使用の符号を識別することは、かなり問題がある。
【００７６】
既存の等化技術に内在するさらなる弱みがあることに留意する。既存の標準に基づく実際の受信機の実装について低減できないエラーフロア（すなわち、パフォーマンスの上限）があるように思われる。そのような現象は、ジーニ（genie）受信機については発生しない。実際に提供されるピークデータレートを向上させるために、実際の受信機は、ジーニ受信機のパフォーマンスをより厳密に模倣しなければならない。ＷＣＤＭＡリリース９はより多くのパイロットシンボルを追加し、ノンパラメトリックおよび／または直接適応の受信機はより良好に機能する、ということが考えられる。本発明は、このアプローチの代替手段を提供する。当該代替手段は、ごくわずかにピークスループットを減少させるが、それでもジーニ受信機のパフォーマンスに近い基準に達する。
【００７７】
本発明の２パスのＧ−Ｒａｋｅ受信機では、第１のパスは、「近似の」または「おおよその」合成重みのセットを算出する。この合成重みが使用されて、１つ以上のトラフィック符号からのシンボルがコヒーレントに合成される。合成値は、対象のコンスタレーションの電力に再スケーリングされ、シンボルの硬判定（hard  symbol  decision）が行われる（すなわち、デコーダの関与はない）。シンボルの硬判定はその後復調のパイロットとして使用されて、障害共分散行列がこれらの復調のパイロットを使用してノンパラメトリックで再算出される。再算出された障害共分散行列から、第２のパスの合成重みのセットが算出される。これらの合成重みが使用されて、全てのトラフィックデータがコヒーレントに合成される。ソフトパイロットシンボルを利用する場合、受信機の動作は、第１のパスの合成重みがソフトパイロットシンボルのみに適用されるということを除いて同じである。
【００７８】
図１３は、本発明の２パスのＧ−Ｒａｋｅ受信機により実行される処理方法の例示的な実施形態を説明するフローチャートである。ステップ３１では、第１のパスの合成重みが生成される。ステップ３２ａでは、１つ以上の符号についての逆拡散値が、第１のパスの合成重みを用いてコヒーレントに合成される。代わりに、プロセスはステップ３２ｂに移り得る。ステップ３２ｂでは、ソフトパイロットシンボルに対応する逆拡散値がコヒーレントに合成され、シンボル推定値が生成される。ステップ３３では、シンボル推定値は、対象のコンスタレーションの電力に再スケーリングされる。ステップ３４では、送信について使用されるコンスタレーションを前提として、シンボルの硬判定が、再スケーリングされたシンボル推定値について行われる。ステップ３５では、シンボルの硬判定が利用されて、障害共分散行列がノンパラメトリックに推定される。ステップ３６では、第２のパスの合成重みが、推定された障害共分散行列を利用して算出される。ステップ３７では、全てのトラフィックデータが、第２のパスの合成重みを利用して合成される。
【００７９】
このプロセスは、シナリオに応じた様々な手法で実現されることが可能である。シングルストリームのＳＩＳＯ／ＳＩＭＯ／ＭＩＭＯのシナリオについて、２つの変形がある。同様に、デュアルストリームのＭＩＭＯのシナリオについて、少なくとも２つの変形がある。各変形は、以下の代替の実施形態で説明される。
【００８０】
［００１２］第１に、シングルストリームのＳＩＳＯ／ＳＩＭＯのシンボルレベルの実施形態が説明される。復調の第１のパスについて、合成重みが以下のように算出される。
【００８１】
【数１２】
2011526435.tif 000014
【００８２】
【数１３】
2011526435.tif 000015
【００８３】
上記等式では、xp(n,m)は、n番目のスロット中のm番目のパイロットシンボル間隔に対応する逆拡散された共通パイロットの値のベクトルを表す。Xct(n,k)は、c番目の符号についてのn番目のスロット中のk番目のトラフィックシンボル間隔に対応する拡散されたトラフィックの値のベクトルを表す。Npは、スロット毎の共通パイロットシンボル数である。Ncは、推定に使用されるトラフィック符号数である。Ntは、スロット毎のデータシンボル数である。
【００８４】
単一のトラフィック符号が使用されてシンボル推定値が生成されると仮定する（以下のものは複数のトラフィック符号に容易に拡張されることが可能であることに留意する）。第１のパスの合成重みwfirstがトラフィック符号fに適用されて、シンボル推定値が以下のように生成される。
【００８５】
【数１４】
2011526435.tif 000016
【００８６】
［００１３］シンボル推定値のエネルギーを対象のコンスタレーションの電力（例えば、単位）へと正常化し、その後各シンボル推定値に最も近いコンスタレーションポイントを選択することにより、これらのシンボル推定値はシンボルの硬判定へと変換される。この手続きは、以下のように数学的に表されることが可能である。
【００８７】
【数１５】
2011526435.tif 000017
【００８８】
ここで、κ(j)は、コンスタレーションポイントのセットSから取られたj番目のコンスタレーションポイントの値である。その後硬判定が使用されて、以下のように障害共分散行列のより正確な推定値が組み立てられる。
【００８９】
【数１６】
2011526435.tif 000018
【００９０】
障害共分散行列のより正確な推定値がその後使用されて、第２のパスの合成重みが以下のように算出される。
【００９１】
【数１７】
2011526435.tif 000019
【００９２】
第２のパスの合成重みが使用されて、全ての逆拡散されたトラフィックデータがコヒーレントに合成される。
【００９３】
別の実施形態は、シングルストリームのＳＩＳＯ／ＳＩＭＯのチップレベル／シンボルレベルの実施形態である。この実施形態は、第１のパスの合成重みを算出するために使用される以下の行列R＾u,first（R＾はRの上に＾があることを意味する）がチップレベルのデータから算出されるということを除いて、シンボルレベルの実施形態と同じである。
【００９４】
【数１８】
2011526435.tif 000020
【００９５】
これを実現するためのノンパラメトリックの方法が、先行技術のセクションで上記に説明されている。とりわけ、行列Rの列が時間シフト版のチップレベルの受信信号rである等式（９）の方法が、採用される。Ru,first＝Ａという設定が行われ、その後第１のパスの合成重みが算出される。実施形態の残りは、シンボルレベルで行われ、シングルストリームのＳＩＳＯ／ＳＩＭＯのシンボルレベルの実施形態と同じである。
【００９６】
別の実施形態は、デュアルストリームのＭＩＭＯのシンボルレベルの実施形態である。本発明は他の２×２のＭＩＭＯスキームをカバーするのに十分に一般的であるが、この説明は、ＷＣＤＭＡリリース７で標準化されているＤ−ＴｘＡＡ  ＭＩＭＯ送信スキームが利用されると仮定する。復調の第１のパスについて、合成重みは以下のように算出される。
【００９７】
【数１９】
2011526435.tif 000021
【００９８】
【数２０】
2011526435.tif 000022
【００９９】
上記等式では、xp(n,m)は、n番目のスロット中のm番目のシンボル間隔に対応する逆拡散された共通パイロットの値のベクトルを表す。xct(n,k)は、c番目の符号についてのn番目のスロット中のk番目のトラフィックシンボル間隔に対応する逆拡散されたトラフィックの値のベクトルを表す。Npは、スロット毎の共通パイロットシンボル数である。Ncは、推定に使用されるトラフィック符号数である。Ntは、スロット毎のデータシンボル数である。s1(m)は、アンテナ１から送信されるm番目のパイロットシンボルである。s2(m)は、アンテナ２から送信されるm番目のパイロットシンボルである。b1およびb2は、ストリーム１および２を送信するために使用されるプリコーディング（precoding）行列Bの列である（すなわち、B＝[b1,b2]）。
【０１００】
我々は、単一のトラフィック符号が使用されてシンボル推定値が生成されると仮定する（以下のものは、複数のトラフィック符号に容易に拡張されることが可能であることに留意する）。第１のパスの合成重みwfirst,1およびwfirst,2がトラフィック符号fに適用されて、シンボル推定値が以下のように生成される。
【０１０１】
【数２１】
2011526435.tif 000023
【０１０２】
シンボル推定値のエネルギーを対象のコンスタレーションの電力へと正常化し、その後各シンボル推定値に最も近いコンスタレーションポイントを選択することにより、これらのシンボル推定値は、シンボルの硬判定に変換される。この手続は、以下のように数学的に表されることが可能である。
【０１０３】
【数２２】
2011526435.tif 000024
【０１０４】
ここで、κ(j)はコンスタレーションポイントのセットSから取られたj番目のコンスタレーションポイントの値である。
【０１０５】
硬判定がその後使用されて、以下のように障害共分散行列のより正確な推定値が組み立てられる。
【０１０６】
【数２３】
2011526435.tif 000025
【０１０７】
障害共分散行列のより正確な推定値がその後使用されて、第２のパスの合成重みが以下のように算出される。
【０１０８】
【数２４】
2011526435.tif 000026
【０１０９】
第２のパスの合成重みが使用されて、両方のストリームについて全ての逆拡散されたトラフィックデータがコヒーレントに合成される。
【０１１０】
第１の受信機パスについて、R＾xは、パラメトリックのＧ−Ｒａｋｅの式を使用して得られ得る、ということに留意する。ＱＡＭ変調が用いられる場合、このアプローチの重要な利点がある。
【０１１１】
別の実施形態は、デュアルストリームのＭＩＭＯのチップレベル／シンボルレベルの実施形態である。この実施形態は、第１のパスの合成重みを算出するために使用される以下の行列R＾xがチップレベルのデータから算出されるということを除いて、シンボルレベルの実施形態と同じである。
【０１１２】
【数２５】
2011526435.tif 000027
【０１１３】
これを実現するためのノンパラメトリックの方法は、上記に説明されている。とりわけ、行列Rの列が時間シフト版のチップレベルの受信信号rである等式（９）の方法が、採用される。R＾x＝Ａという設定が行われ、その後第１のパスの合成重みが算出される。実施形態の残りは、シンボルレベルで行われ、デュアルストリームのＭＩＭＯのシンボルレベルの実施形態と同じである。
【０１１４】
当業者に認識されるように、本出願で説明された革新的な概念は、広範囲の応用にわたって改変され、変更されることが可能である。したがって、特許を受ける対象の範囲は、上記で検討された特定の例示的な教示のいずれにも限定されるべきではないが、代わりに以下の特許請求の範囲により定義される。
【図１】
2011526435.tif 000028
【図２】
2011526435.tif 000029
【図３】
2011526435.tif 000030
【図４】
2011526435.tif 000031
【図５】
2011526435.tif 000032
【図６】
2011526435.tif 000033
【図７】
2011526435.tif 000034
【図８】
2011526435.tif 000035
【図９】
2011526435.tif 000036
【図１０】
2011526435.tif 000037
【図１１】
2011526435.tif 000038
【図１２】
2011526435.tif 000039
【図１３】
2011526435.tif 000040
【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
送信されるシンボルの系列を含む受信無線信号のパラメータを推定するための無線受信機における方法であって：
送信されるシンボルの前記系列の第１の部分は、前記系列の第２の部分よりもより高い信頼性で送信されることと；
より高い信頼性で送信される前記第１の部分のシンボルをまず復調し、ソフトパイロットシンボルを形成するステップと；
前記ソフトパイロットシンボルを既知のシンボルとして利用し、前記受信無線信号のパラメータを推定するステップと；
送信されるシンボルの前記系列の前記第１の部分および前記第２の部分の両方からデータを抽出するステップと；
を含む方法。
【請求項２】
送信されるシンボルの前記系列の前記第１の部分は、前記系列の前記第２の部分について利用されるより高次の変調法よりもより低次の変調法を有する、請求項１に記載の方法。
【請求項３】
前記ソフトパイロットシンボルを既知のシンボルとして利用する前記ステップは、前記ソフトパイロットシンボルを既知のシンボルとして利用し、より高次の変調シンボルを復調することも含む、請求項２に記載の方法。
【請求項４】
前記パイロットシンボルは、一定の包絡線の変調シンボルであり、前記ソフトパイロットシンボルを既知のシンボルとして利用する前記ステップは、前記ソフトパイロットシンボルを利用し、前記より高次の変調シンボルを復調するための振幅リファレンスを確立することも含む、請求項３に記載の方法。
【請求項５】
前記第１の部分の中の前記シンボルは、四位相偏移変調（ＱＰＳＫ）または二位相偏移変調（ＢＰＳＫ）で変調され、前記第２の部分の中の前記シンボルは、１６値直交振幅変調（１６ＱＡＭ）または６４ＱＡＭで変調される、請求項４に記載の方法。
【請求項６】
前記方法は、前記ソフトパイロットシンボルについての前記系列内の予め定義された位置を示す情報を前記受信機内に予め記憶するステップをさらに含み、前記位置は、時間、周波数および符号の観点から定義される、請求項１に記載の方法。
【請求項７】
前記ソフトパイロットシンボルについての変調方式を示す情報を前記受信機内に予め記憶するステップをさらに含む、請求項６に記載の方法。
【請求項８】
前記方法は、前記ソフトパイロットシンボルについての前記系列内の位置を示す送信機からのシグナリングを受信するステップをさらに含み、前記位置は、時間、周波数および符号の観点から定義される、請求項１に記載の方法。
【請求項９】
前記ソフトパイロットシンボルについての変調方式を示す前記送信機からのシグナリングを受信するステップをさらに含む、請求項８に記載の方法。
【請求項１０】
送信されるシンボルの系列を含む受信無線信号を処理するためのＧ−Ｒａｋｅ（generalized  Rake）受信機における方法であって：
第１のパスにおける近似の合成重みのセットを算出するステップと；
前記系列内の残りのシンボルよりもより低次の変調法で変調される前記系列内のソフトパイロットシンボルのセットを識別するステップと；
前記近似の合成重みを利用して、前記ソフトパイロットシンボルに対応する逆拡散値をコヒーレントに合成し、シンボル推定値を生成するステップと；
送信について使用されるコンスタレーションを前提として、デコーダの関与なしに前記シンボル推定値についてのシンボルの硬判定を行うステップと；
前記シンボルの硬判定を復調パイロットとして利用し、障害共分散行列をノンパラメトリックに推定するステップと；
推定された前記障害共分散行列を利用して、第２のパスにおける精緻化された合成重みのセットを算出するステップと；
前記精緻化された合成重みを利用して、全てのトラフィックデータを合成するステップと；
を含む方法。
【請求項１１】
送信されるシンボルの系列を含む受信無線信号のパラメータを推定するための無線受信機であって：
前記系列内の残りのシンボルよりもより高い信頼性で送信される前記系列内のシンボルのセットを識別するための手段と；
識別された前記シンボルのセットをまず復調し、ソフトパイロットシンボルを形成するための手段と；
前記ソフトパイロットシンボルを既知のシンボルとして利用し、前記受信無線信号のパラメータを推定するための手段と；
前記ソフトパイロットシンボル、および送信されるシンボルの前記系列内の前記残りのシンボルの両方から、データを抽出するための手段と；
を備える無線受信機。
【請求項１２】
前記ソフトパイロットシンボルは、四位相偏移変調（ＱＰＳＫ）または二位相偏移変調（ＢＰＳＫ）で変調され、前記系列内の前記残りのシンボルは、１６値直交振幅変調（１６ＱＡＭ）または６４ＱＡＭで変調される、請求項１１に記載の無線受信機。
【請求項１３】
前記パイロットシンボルは、一定の包絡線の変調シンボルであり、前記ソフトパイロットシンボルを既知のシンボルとして利用するための前記手段は、前記ソフトパイロットシンボルを利用し、より高次の変調シンボルを復調するための振幅リファレンスを確立するための手段を含む、請求項１２に記載の無線受信機。
【請求項１４】
前記無線受信機は、前記ソフトパイロットシンボルについての変調方式および前記ソフトパイロットシンボルについての前記系列内の予め定義された位置を示す情報を予め記憶するための記憶手段をさらに備え、前記位置は、時間、周波数および符号の観点から定義される、請求項１１に記載の無線受信機。
【請求項１５】
前記無線受信機は、前記ソフトパイロットシンボルについての前記系列内の位置を示す送信機からのシグナリングを受信するための手段をさらに備え、前記位置は、時間、周波数および符号の観点から定義される、請求項１１に記載の無線受信機。
【請求項１６】
前記無線受信機は、前記ソフトパイロットシンボルについての変調方式および前記ソフトパイロットシンボルについての前記系列内の予め定義された位置を示す送信機からのシグナリングを受信するための手段をさらに備え、前記位置は、時間、周波数および符号の観点から定義される、請求項１１に記載の無線受信機。
【請求項１７】
送信されるシンボルの系列を含む受信無線信号を処理するための２パスのＧ−Ｒａｋｅ（generalized  Rake）受信機であって：
第１のパスにおける近似の合成重みのセットを算出するための手段と；
前記系列内の残りのシンボルよりもより低次の変調法で変調される前記系列内のソフトパイロットシンボルのセットを識別するための手段と；
前記近似の合成重みを利用して、前記ソフトパイロットシンボルに対応する逆拡散値をコヒーレントに合成し、シンボル推定値を生成するための手段と；
送信について使用されるコンスタレーションを前提として、デコーダの関与なしに前記シンボル推定値についてのシンボルの硬判定を行うための手段と；
前記シンボルの硬判定を復調パイロットとして利用し、障害共分散行列をノンパラメトリックに推定するための手段と；
推定された前記障害共分散行列を利用して、第２のパスにおける精緻化された合成重みのセットを算出するための手段と；
前記精緻化された合成重みを利用して、全てのトラフィックデータを合成するための手段と；
を備えるＧ−Ｒａｋｅ受信機。
【国際調査報告】
2011526435.tif 000041
2011526435.tif 000042
2011526435.tif 000043
2011526435.tif 000044
2011526435.tif 000045